【手続補正書】
【提出日】平成25年7月30日(2013.7.30)
【手続補正１】
【補正対象書類名】特許請求の範囲
【補正対象項目名】全文
【補正方法】変更
【補正の内容】
【特許請求の範囲】
【請求項１】
画像センサと、
位置情報を出力する位置情報取得部と、
方位センサと、
前記画像センサから出力される対象物の画像と、少なくとも前記位置情報取得部及び前記方位センサからの測定データに基づいて得られた前記対象物に関する情報と、を表示するディスプレイと、
を備える携帯情報機器。
【請求項２】
前記ディスプレイの画面上で、前記対象物の画像と前記対象物に関する情報の表示とが並ぶ、請求項１に記載の携帯情報機器。
【請求項３】
前記ディスプレイの画面上で、前記対象物の画像に前記対象物に関する情報の表示の一部が重なる、請求項１又は請求項２に記載の携帯情報機器。
【請求項４】
前記ディスプレイは、タッチパネルを含む、請求項１から請求項３の何れか一項に記載の携帯情報機器。
【請求項５】
前記ディスプレイは、前記対象物に関する情報の表示内容を指定する標識を表示する、請求項１から請求項４の何れか一項に記載の携帯情報機器。
【請求項６】
前記ディスプレイは、前記対象物の画像と、前記対象物に関する情報とを同時に表示する、請求項１から請求項５の何れか一項に記載の携帯情報機器。
【請求項７】
前記ディスプレイは、前記対象物の画像と、前記標識とを同時に表示する、請求項５又は６に記載の携帯情報機器。
【請求項８】
前記ディスプレイは、前記対象物の画像と、前記標識と、前記対象物に関する情報とを同時に表示する、請求項５から請求項７の何れか一項に記載の携帯情報機器。
【請求項９】
前記対象物の画像及び前記対象物に関する情報の第１同時表示と、前記対象物の画像及び前記標識の第２同時表示と、前記対象物の画像、前記対象物に関する情報、及び前記標識の第３同時表示との間で、ステータスが切り替わる、請求項５から請求項８の何れか一項に記載の携帯情報機器。
【請求項１０】
前記対象物に関する情報の表示内容は、前記対象物の名称、前記対象物の所在地住所、前記対象物に関連する電話番号、前記対象物の周辺画像、前記対象物の種別、前記対象物の経度及び緯度、前記対象物の仕様、前記対象物の内部画像、前記対象物に関する投稿情報、前記対象物に関するコマーシャル情報、及び前記対象物に関する割引クーポン情報、の少なくとも１つを含む、請求項１から請求項９の何れか一項に記載の携帯情報機器。
【請求項１１】
前記ディスプレイは、前記測定データ及び前記画像センサを介した前記対象物の画像データに基づいて得られた前記対象物に関する情報を表示する、請求項１から請求項１０の何れか一項に記載の携帯情報機器。
【請求項１２】
前記ディスプレイは、前記測定データ及び前記対象物に関する文字データに基づいて得られた前記対象物に関する情報を表示する、請求項１から請求項１１の何れか一項に記載の携帯情報機器。
【請求項１３】
前記ディスプレイは、前記測定データ、前記画像センサを介した前記対象物の画像データ、及び前記対象物に関する文字データに基づいて得られた前記対象物に関する情報を表示する、請求項１から請求項１２の何れか一項に記載の携帯情報機器。
【請求項１４】
無線通信部をさらに備え、
前記無線通信部及び外部サーバを介して前記対象物に関する情報を取得する、請求項１から請求項１３の何れか一項に記載の携帯情報機器。
【請求項１５】
前記無線通信部及び前記外部サーバを介して前記対象物に関する情報を選択的に取得する、請求項１４に記載の携帯情報機器。
【請求項１６】
前記無線通信部及び前記外部サーバを介して前記対象物に関する情報の残りの情報の少なくとも一部を追加的に取得する、請求項１５に記載の携帯情報機器。
【請求項１７】
前記方位センサは、電子コンパスを含む、請求項１から請求項１６のいずれか一項に記載の携帯情報機器。
【請求項１８】
前記方位センサは、複数の機器の配列方向に沿った方位を検出する、請求項１から請求項１７のいずれか一項に記載の携帯情報機器。
【請求項１９】
前記方位センサは、ユーザから見た前記対象物の方向に沿った方位を検出する、請求項１から請求項１８のいずれか一項に記載の携帯情報機器。
【請求項２０】
前記ディスプレイは、過去の年度を入力するための欄と、前記位置情報取得部からの前記位置情報及び前記入力された年度に応じた過去の画像データと、を表示する、請求項１から請求項１９の何れか一項に記載の携帯情報機器。
【請求項２１】
サーバと、
データベースと、
画像センサ、位置情報を出力する位置情報取得部、方位センサ、ディスプレイ、及び無線通信部を含む携帯情報機器であって、前記ディスプレイが前記画像センサから出力される対象物の画像と前記対象物に関する情報とを表示し、少なくとも前記位置情報取得部及び前記方位センサからの測定データに基づいて得られた前記対象物の前記対象物に関する情報が前記無線通信部及び前記サーバを介して前記データベースから取得される、前記携帯情報機器と、
を備える情報取得システム。
【請求項２２】
前記ディスプレイの画面上で、前記対象物の画像と前記対象物に関する情報の表示とが並ぶ、請求項２１に記載の情報取得システム。
【請求項２３】
前記ディスプレイの画面上で、前記対象物の画像に前記対象物に関する情報の表示の一部が重なる、請求項２１又は請求項２２に記載の情報取得システム。
【請求項２４】
前記ディスプレイは、タッチパネルを含む、請求項２１から請求項２３の何れか一項に記載の情報取得システム。
【請求項２５】
前記ディスプレイは、前記対象物に関する情報の表示内容を指定する標識を表示する、請求項２１から請求項２４の何れか一項に記載の情報取得システム。
【請求項２６】
前記ディスプレイは、前記対象物の画像と、前記対象物に関する情報とを同時に表示する、請求項２１から請求項２５の何れか一項に記載の情報取得システム。
【請求項２７】
前記ディスプレイは、前記対象物の画像と、前記標識とを同時に表示する、請求項２５又は２６に記載の情報取得システム。
【請求項２８】
前記ディスプレイは、前記対象物の画像と、前記標識と、前記対象物に関する情報とを同時に表示する、請求項２５から請求項２７の何れか一項に記載の情報取得システム。
【請求項２９】
前記対象物の画像及び前記対象物に関する情報の第１同時表示と、前記対象物の画像及び前記標識の第２同時表示と、前記対象物の画像、前記対象物に関する情報、及び前記標識の第３同時表示との間で、ステータスが切り替わる、請求項２５から請求項２８の何れか一項に記載の情報取得システム。
【請求項３０】
前記対象物に関する情報の表示内容は、前記対象物の名称、前記対象物の所在地住所、前記対象物に関連する電話番号、前記対象物の周辺画像、前記対象物の種別、前記対象物の経度及び緯度、前記対象物の仕様、前記対象物の内部画像、前記対象物に関する投稿情報、前記対象物に関するコマーシャル情報、及び前記対象物に関する割引クーポン情報、の少なくとも１つを含む、請求項２１から請求項２９の何れか一項に記載の情報取得システム。
【請求項３１】
前記ディスプレイは、前記測定データ及び前記画像センサを介した前記対象物の画像データに基づいて得られた前記対象物に関する情報を表示する、請求項２１から請求項３０の何れか一項に記載の情報取得システム。
【請求項３２】
前記ディスプレイは、前記測定データ及び前記対象物に関する文字データに基づいて得られた前記対象物に関する情報を表示する、請求項２１から請求項３１の何れか一項に記載の情報取得システム。
【請求項３３】
前記ディスプレイは、前記測定データ、前記画像センサを介した前記対象物の画像データ、及び前記対象物に関する文字データに基づいて得られた前記対象物に関する情報を表示する、請求項２１から請求項３２の何れか一項に記載の情報取得システム。
【請求項３４】
前記サーバは、前記携帯情報機器から受信したユーザの識別情報が予め登録されているか否かを確認する、請求項２１から請求項３３の何れか一項に記載の情報取得システム。
【請求項３５】
前記サーバは、前記識別情報とともに前記対象物に関する投稿を示す情報を受信した場合、前記対象物に関する前記投稿を示す情報を前記データベースに書き込む、請求項２１から請求項３４の何れか一項に記載の情報取得システム。
【請求項３６】
前記サーバは、前記対象物に関する割引クーポン情報を前記携帯情報機器に送信する、請求項２１から請求項３５の何れか一項に記載の情報取得システム。
【請求項３７】
前記サーバは、前記割引クーポン情報が用いられたことを示す検出結果に基づいて、少なくとも前記対象物と前記対象物に対する情報提供料とを関連付けた課金情報を前記データベースに書き込む、請求項３６に記載の情報取得システム。
【請求項３８】
前記サーバは、前記割引クーポン情報が用いられたことを示す検出結果に基づいて、少なくとも前記対象物とユーザの識別情報とを関連付けたポイント情報を前記データベースに書き込む、請求項３６又は請求項３７に記載の情報取得システム。
【請求項３９】
被写体を撮像する撮像部と、
撮像位置の位置情報を取得する位置情報取得部と、
前記撮像位置における撮像方向を示す方位情報を取得する方位情報取得部と、
を有することを特徴とする撮像装置。
【請求項４０】
無線通信によってインターネットに接続する無線送受信部を備え、
前記位置情報と前記方位情報とをもとに、前記被写体に関する情報を前記無線送受信部を介して前記インターネットに接続される情報検索システムより取得する制御部
を有することを特徴とする請求項３９に記載の撮像装置。
【請求項４１】
前記被写体に関する情報は、少なくとも前記被写体の名称を含むことを特徴とする請求項４０に記載の撮像装置。
【請求項４２】
前記被写体を撮像した画像データと、該画像データに対応する前記位置情報及び前記方位情報と、を対応付けて記憶する記憶部
を有することを特徴とする請求項３９から請求項４１の何れか一項に記載の撮像装置。
【請求項４３】
前記制御部は、前記位置情報と前記方位情報と前記被写体を撮像した画像データとをもとに、前記被写体に関する情報を前記情報検索システムより取得することを特徴とする請求項４０から請求項４２の何れか一項に記載の撮像装置。
【請求項４４】
前記制御部は、前記被写体に関する情報を前記情報検索システムより選択的に取得することを特徴とする請求項４０から請求項４３の何れか一項に記載の撮像装置。
【請求項４５】
撮像装置と情報検索システムとから構成され、前記撮像装置の撮像した被写体から、前記情報検索システムが前記被写体に関する情報を検索し、前記撮像装置に検索結果を送信する情報取得システムであり、
前記撮像装置は、
前記被写体を撮像する撮像部と、
撮像位置の位置情報を取得する位置情報取得部と、
前記撮像位置における撮像方向を示す方位情報を取得する方位情報取得部と
を有し、
前記情報検索システムは、
前記位置情報及び前記方位情報に対応して前記被写体に関する情報が記憶されたデータベースと、
前記撮像装置の撮像した画像データの前記位置情報及び前記方位情報をもとに、該画像データを撮像した前記位置情報及び前記方位情報に対応した前記被写体に関する情報を前記データベースから検索する情報検索サーバと
を有することを特徴とする情報取得システム。
【請求項４６】
前記撮像装置が撮像している状態にて情報検索を行う際、撮像中の前記画像データとともに、前記位置情報及び前記方位情報とを対応付けて、前記情報検索システムに送信する制御部をさらに有することを特徴とする請求項４５に記載の情報取得システム。
【請求項４７】
前記撮像装置は、撮像した画像データと、該画像データに対応する前記位置情報及び前記方位情報とを対応付けて記憶部に記憶する制御部をさらに有し、
前記制御部が、前記情報検索システムに対して情報検索を行う際、前記記憶部から前記画像データを、前記位置情報及び前記方位情報とともに読み出し、前記情報検索システムに送信することを特徴とする請求項４５に記載の情報取得システム。
【請求項４８】
前記情報検索サーバは、前記撮像装置から受信したユーザの識別情報が予め登録されている場合に、前記被写体に関する情報を前記データベースから検索することを特徴とする請求項４５から請求項４７の何れか一項に記載の情報取得システム。
【請求項４９】
前記情報検索サーバは、前記識別情報とともに投稿を示す情報を受信した場合、前記被写体の前記位置情報及び前記方位情報とに対応させて、前記被写体に対する前記投稿を示す情報を前記データベースに書き込むことを特徴とする請求項４８に記載の情報取得システム。
【請求項５０】
前記情報検索サーバは、前記被写体の情報に割引クーポン情報が含まれていることを検出した場合、前記割引クーポン情報を前記検索結果に付加して前記撮像装置に送信することを特徴とする請求項４５から請求項４９の何れか一項に記載の情報取得システム。
【請求項５１】
前記情報検索サーバは、前記撮像装置により前記被写体としての店舗にて前記割引クーポン情報が用いられたことを検出した場合、前記データベースに記憶される店舗を識別する識別情報を記憶した課金テーブルに対して、前記被写体としての店舗に対して課金する情報提供料を該店舗の識別情報に対応付けて書き込むことを特徴とする請求項５０に記載の情報取得システム。
【請求項５２】
前記情報検索サーバは、前記撮像装置により前記割引クーポン情報が用いられたことを検出した場合、前記データベースに記憶されるユーザの識別情報を記憶したユーザ登録テーブルに対して、該撮像装置に対応するユーザの識別情報に対応付けて所定のポイントを書き込むことを特徴とする請求項５０または５１に記載の情報取得システム。
【請求項５３】
前記情報検索サーバは、前記位置情報と前記方位情報と前記被写体の画像データとをもとに、前記被写体に関する情報を前記データベースから検索することを特徴とする請求項４５から請求項５２の何れか一項に記載の情報取得システム。
【請求項５４】
前記情報検索サーバは、前記位置情報と前記方位情報と前記被写体の文字データとをもとに、前記被写体に関する情報を前記データベースから検索することを特徴とする請求項４５から請求項５３の何れか一項に記載の情報取得システム。
【請求項５５】
前記撮像装置は、前記被写体を撮像している状態において、前記被写体に関する情報を前記画像データに重ねて該撮像装置の画像表示欄に表示させることを特徴とする請求項４５から請求項５４の何れか一項に記載の情報取得システム。
【請求項５６】
前記情報検索サーバは、前記被写体を撮像している状態において、前記位置情報と前記方位情報とをもとに、前記被写体に関する情報を前記データベースから検索することを特徴とする請求項４５から請求項５５の何れか一項に記載の情報取得システム。
【請求項５７】
前記情報検索サーバは、前記撮像装置に対して前記被写体に関する情報を選択的に送信することを特徴とする請求項４５から請求項５６の何れか一項に記載の情報取得システム。
【請求項５８】
前記被写体に関する情報は、コマーシャル情報を含むことを特徴とする請求項４５から請求項５７の何れか一項に記載の情報取得システム。
【請求項５９】
位置情報を出力する位置情報取得部と、
ディスプレイと、
少なくとも前記位置情報取得部からの前記位置情報と前記位置情報に基づく撮像位置において撮像された対象物の特定に用いるデータとに基づいて得られた前記対象物に関する情報と、前記対象物の画像と、を対応付けて前記ディスプレイに表示させる制御部と、
を備える携帯情報機器。
【請求項６０】
前記対象物の特定に用いる前記データは、方位情報を含む、請求項５９に記載の携帯情報機器。
【請求項６１】
前記対象物の特定に用いる前記データは、画像認識によって前記対象物を特定するための前記対象物の画像を含む、請求項５９又は請求項６０に記載の携帯情報機器。
【請求項６２】
前記対象物の特定を行う外部サーバから前記対象物に関する情報を受信する送受信部を備える、請求項５９から請求項６１の何れか一項に記載の携帯情報機器。
【請求項６３】
前記外部サーバは、前記対象物の画像に対して画像認識を行うための複数の画像データを有するデータベースを基に、前記対象物を特定する、請求項６２に記載の携帯情報機器。
【請求項６４】
前記ディスプレイの画面上で、前記対象物の画像と前記対象物に関する情報の表示とが並ぶ、請求項５９から請求項６３の何れか一項に記載の携帯情報機器。
【請求項６５】
前記ディスプレイの画面上で、前記対象物の画像に前記対象物に関する情報の表示の一部が重なる、請求項５９から請求項６４の何れか一項に記載の携帯情報機器。
【請求項６６】
前記ディスプレイは、前記対象物の画像と、前記対象物に関する情報とを同時に表示する、請求項５９から請求項６５の何れか一項に記載の携帯情報機器。
【請求項６７】
前記ディスプレイは、タッチパネルを含む、請求項５９から請求項６６の何れか一項に記載の携帯情報機器。
【請求項６８】
前記ディスプレイは、前記対象物に関する情報の表示内容を指定する標識を表示する、請求項５９から請求項６７の何れか一項に記載の携帯情報機器。
【請求項６９】
前記ディスプレイは、前記対象物の画像と、前記標識とを同時に表示する、請求項６８に記載の携帯情報機器。
【請求項７０】
前記対象物に関する情報の表示内容は、前記対象物の名称、前記対象物の所在地住所、前記対象物に関連する電話番号、前記対象物の周辺画像、前記対象物の種別、前記対象物の経度及び緯度、前記対象物の仕様、前記対象物の内部画像、前記対象物に関する投稿情報、前記対象物に関するコマーシャル情報、及び前記対象物に関する割引クーポン情報、の少なくとも１つを含む、請求項５９から請求項６９の何れか一項に記載の携帯情報機器。
【請求項７１】
画像センサと、
位置情報を取得する位置情報取得部と、
前記画像センサによって生成された対象物の画像と、前記位置情報に基づいて得られた前記対象物に関する関連情報とを表示するディスプレイと、
前記対象物の画像を表示している間に、ユーザが前記対象物に対して投稿情報を入力する入力部と、
前記対象物の画像を表示している間に、前記関連情報および前記投稿情報を前記ディスプレイに表示させる制御部と、
を備える携帯情報機器。
【請求項７２】
前記入力部は、前記ユーザが前記投稿情報を入力するためのタッチ画面型キーボードを有する
請求項７１に記載の携帯情報機器。
【請求項７３】
前記入力部は、前記位置情報を前記投稿情報に関連付けることによって前記対象物に対して前記投稿情報を入力する
請求項７１又は請求項７２に記載の携帯情報機器。
【請求項７４】
前記ディスプレイは、前記対象物の画像の表示中に、前記投稿情報をポストするのに使用されるタッチパネルを含む、請求項７１から請求項７３の何れか一項に記載の携帯情報機器。
【請求項７５】
前記ディスプレイは、前記対象物の画像と、前記投稿情報のポスト操作に関するアイコンとを同時表示するモードを含む、請求項７１から請求項７４の何れか一項に記載の携帯情報機器。
【請求項７６】
前記ディスプレイは、前記投稿情報の入力を支援するモードであり、文字入力用のテキスト欄とタッチ画面型キーボードとを同時表示する前記モードを含む、請求項７１から請求項７５の何れか一項に記載の携帯情報機器。
【請求項７７】
前記ディスプレイは、前記対象物の画像と前記投稿情報とを同時表示するモードを含む、請求項７１から請求項７６の何れか一項に記載の携帯情報機器。
【請求項７８】
画像センサと、
前記画像センサによって生成された対象物の画像と、前記対象物の画像に基づいて得られた前記対象物に関する関連情報とを表示するディスプレイと、
前記対象物の画像を表示している間に、ユーザが前記対象物に対して投稿情報を入力する入力部と、
前記対象物の画像を表示している間に、前記関連情報および前記投稿情報を前記ディスプレイに表示させる制御部と、
を備える携帯情報機器。
【請求項７９】
前記入力部は、前記ユーザが前記投稿情報を入力するためのタッチ画面型キーボードを有する
請求項７８に記載の携帯情報機器。
【請求項８０】
前記ディスプレイは、前記対象物の画像の表示中に、前記投稿情報をポストするのに使用されるタッチパネルを含む、請求項７８又は請求項７９に記載の携帯情報機器。
【請求項８１】
前記ディスプレイは、前記対象物の画像と、前記投稿情報のポスト操作に関するアイコンとを同時表示するモードを含む、請求項７８から請求項８０の何れか一項に記載の携帯情報機器。
【請求項８２】
前記ディスプレイは、前記投稿情報の入力を支援するモードであり、文字入力用のテキスト欄とタッチ画面型キーボードとを同時表示する前記モードを含む、請求項７８から請求項８１の何れか一項に記載の携帯情報機器。
【請求項８３】
前記ディスプレイは、前記対象物の画像と前記投稿情報とを同時表示するモードを含む、請求項７９から請求項８２の何れか一項に記載の携帯情報機器。
【請求項８４】
画像センサと、
現在位置を示す位置情報を取得する位置情報取得部と、
前記画像センサによって生成された対象物の画像と、前記位置情報に基づいて得られた前記対象物に関する関連情報とを表示するタッチパネル型のディスプレイと、
前記ディスプレイに表示され、前記現在位置において前記対象物の画像を表示している間にユーザが前記現在位置に対して投稿情報を投稿するアイコンと、
前記対象物の画像を表示している間に前記アイコンによって新規に前記投稿情報が投稿された場合に、前記対象物の画像及び前記関連情報と該新規に投稿された前記投稿情報とを前記ディスプレイに表示させる制御部と、
を備える携帯情報機器。
【請求項８５】
画像センサと、
位置情報を取得する位置情報取得部と、
前記画像センサによって生成された対象物の画像と、前記位置情報に基づいて得られた前記対象物に関する関連情報とを表示するディスプレイと、
ユーザが前記対象物に対して投稿情報を入力する入力部であり、前記投稿情報の入力時に、文字入力用のテキスト欄及びタッチ画面型キーボードの少なくとも１つが前記ディスプレイに表示される、前記入力部と、
第１モード及び第２モードを有する制御部と、を備え、
前記第１モードでは、前記テキスト欄及び前記タッチ画面型キーボードが前記ディスプレイに非表示であり、前記対象物の画像を表示している間に、所定の操作に関するアイコンと前記投稿情報を含む前記関連情報とが前記ディスプレイに表示され、
前記第２モードでは、前記アイコンと、前記テキスト欄及び前記タッチ画面型キーボードの少なくとも１つとが前記ディスプレイに表示されている間、前記関連情報が前記ディスプレイに非表示である、
携帯情報機器。
【請求項８６】
画像センサと、
位置情報を取得する位置情報取得部と、
前記画像センサを介して撮った対象物の画像と、前記位置情報とを関連付けて記憶する記憶部と、
ディスプレイと、
第１モードと第２モードとを有する制御部と、を備え、
前記第１モードでは、前記ディスプレイを介して、前記記憶部から前記画像を読み出す指示をユーザが行い、
前記第２モードでは、前記記憶部から読み出した前記画像に重ねて、前記位置情報に基づいて得られた前記対象物に関する関連情報を表示する、
携帯情報機器。
【請求項８７】
画像センサと、
前記画像センサを介して撮った対象物の画像を記憶する記憶部と、
ディスプレイと、
第１モードと第２モードとを有する制御部と、を備え、
前記第１モードでは、前記ディスプレイを介して、前記記憶部から前記画像を読み出す指示をユーザが行い、
前記第２モードでは、前記記憶部から読み出した前記画像に重ねて、前記読み出した前記画像の画像認識の結果に基づいて得られた前記対象物に関する関連情報を表示する、
携帯情報機器。
【請求項８８】
サーバと、
データベースと、
請求項７１から請求項８７の何れか一項に記載の携帯情報機器と、
を備える、情報取得システム。
【請求項８９】
前記サーバは、前記対象物に関するクーポン情報を前記携帯情報機器に送信する、請求項８８に記載の情報取得システム。
【請求項９０】
前記サーバは、前記クーポン情報が用いられたことを示す検出結果に基づいて、少なくとも前記対象物と前記対象物に対する情報提供料とを関連付けた課金情報を前記データベースに書き込む、請求項８９に記載の情報取得システム。
【請求項９１】
前記サーバは、前記クーポン情報が用いられたことを示す検出結果に基づいて、少なくとも前記対象物とユーザとを関連付けたポイント情報を前記データベースに書き込む、請求項８９又は請求項９０に記載の情報取得システム。